(57)【要約】【課題】リードスクリューとラック部とを用いたピックアップユニット駆動機構を備えるディスク装置であって、部品の小型化と動作の安定性の向上を図りつつ、組立の作業性の向上が図られたディスク装置の提供。【解決手段】ラック部材１８２に接続バネ部１８２３を形成し、且つ、コイルバネ１８５を備えさせることにより、接続バネ部１８２３による付勢力とコイルバネ１８５による付勢力によって、リードスクリュー１８１に形成される溝部１８１１とラック部に形成される歯１８２４との係合をより確実なものとし、且つ、当該付勢力によってフック部材１９２の係合部分に生じ得るガタつきも抑止できるように、フック部材１９２の先端の爪が、ラック部をリードスクリュー１８１へと付勢する方向と略平行となる方向を向くように形成する。【選択図】図２
0003120600.tif 000002
【実用新案登録請求の範囲】
【請求項１】
ディスク媒体からの信号の読み込み若しくは書き込みを行うピックアップユニットと、当該ピックアップユニットを前記ディスク媒体の半径方向に移動させる為のピックアップユニット駆動機構を備えるディスク装置であって、前記ピックアップユニット駆動機構が、リードスクリューと、当該リードスクリューを回転駆動させる駆動モータと、前記リードスクリューに形成される溝部と係合する歯を備えるラック部と、当該ラック部を前記ピックアップユニットと接合する接合部と、を備え、前記接合部が、前記ピックアップユニットに接合される接合部材と、当該接合部材と前記ラック部との間にこれらと一体的に形成される接続部であって前記ラック部を前記リードスクリュー方向へと付勢させる接続バネ部と、を備え、さらに、前記ラック部と前記ピックアップユニットの間に前記ラック部を前記リードスクリュー方向へと付勢させるための弾性部材を設けたことを特徴とするディスク装置。
【請求項２】
前記接合部が、前記ピックアップユニットの筐体となるホルダー部材と前記ラック部との間にこれらと一体的に形成される接続部であって前記ラック部を前記リードスクリュー方向へと付勢させる接続バネ部によって構成されたことを特徴とする請求項１記載のディスク装置。
【請求項３】
前記接続バネ部は屈曲部を有し、且つ、前記ラック部の前記リードスクリューから前記ピックアップユニットへ向かう方向の射影によって形成される範囲内に前記接続バネ部が収まるように形成されたことを特徴とする請求項１又は請求項２に記載のディスク装置。
【請求項４】
前記接続バネ部を、前記ラック部の中心を基準として対称となる位置に前記リードスクリューの軸方向に沿って並んで２本形成し、当該２本の接続バネ部の間となる部分に前記弾性部材たるコイルバネを配置し、当該コイルバネを係止するためのコイルバネ係止突起を、前記ラック部と前記接合部材若しくは前記ホルダー部材とにそれぞれ形成し、前記各接続バネ部に形成される前記屈曲部を、前記コイルバネが配置される側とは反対側に膨出するように形成したことを特徴とする請求項３記載のディスク装置。
【請求項５】
前記接続バネ部は、前記ラック部又は前記接合部材若しくは前記ホルダー部材と接合する部分付近において、前記ラック部を前記リードスクリューへと付勢する方向と略平行となる直線部を備えることを特徴とする請求項１乃至請求項４の何れか１つに記載のディスク装置。
【請求項６】
前記直線部は、前記屈曲部に比してその断面積が大きく形成されていることを特徴とする請求項５記載のディスク装置。
【請求項７】
前記ディスク装置は、前記ピックアップユニット及び前記ピックアップユニット駆動機構が組み付けられるトラバースユニットを備え、前記リードスクリューを保持するリードスクリュー保持部材の、前記トラバースユニットのシャーシへの組付けを、前記リードスクリュー保持部材若しくは前記シャーシに形成したフックであって先端の爪が前記ラック部を前記リードスクリューへと付勢する方向と略平行となる方向を向いているフック部材と、これと係合させるために前記シャーシ若しくは前記リードスクリュー保持部材に形成した穴部と、によって行うことを特徴とする請求項１乃至請求項６の何れか１つに記載のディスク装置。
【考案の詳細な説明】
【技術分野】
【０００１】
本考案は、ディスク媒体からの信号の読み込み若しくは書き込みを行うディスク装置に関し、特に、ピックアップユニットの駆動機構部分に関する。
【背景技術】
【０００２】
ディスク媒体（例えばＤＶＤなど）は、その取り扱いの容易さ等の理由により広く普及しており、ディスク媒体に対する信号の読み込み若しくは書き込みを行うディスク装置の小型化やコストの低減、製品精度の向上の努力がなされている。
【０００３】
ディスク装置には、ディスク媒体からの信号の読み込み若しくは書き込みを行うピックアップユニットが備えられており、当該ピックアップユニットをディスク媒体の半径方向に移動させるための機構に、リードスクリューと当該リードスクリューに形成される溝部と係合する歯を備えるラック部とを用いて、リードスクリューの回転運動を平行運動に変換することによって行うものがある。このようなリードスクリューとラック部とを用いたピックアップユニット駆動機構に関する従来技術が特許文献１〜特許文献２などによって開示されている。
【０００４】
【特許文献１】特開平９−４５０６５号公報
【特許文献２】特開２００５−２１６３４４号公報
【考案の開示】
【考案が解決しようとする課題】
【０００５】
上記特許文献２によって開示される従来技術は、ラック部のリードスクリューに対する動き（即ちピックアップユニットの動き）をスムーズにさせるものであるが、ラック部と一体成形可能な（即ち製造コストを安価にすることができる）Ｕ字部や連結部を使用したものの場合、当該Ｕ字部や連結部を形成することによってラック部がやや大型化してしまうものであった。また、特許文献１によって開示される従来技術は、ピックアップ駆動機構（リードスクリューを保持した部材）をベース（シャーシ）とは別体で形成することにより組み立て工程の作業性の向上を図ったものであり、ピックアップ駆動機構（リードスクリューを保持した部材）のベース（シャーシ）への装着を、係合爪（フック）と孔とを係合させることによって行うものが開示されているが、係合爪（フック）と孔による係合を用いると、作業性は向上するが、その構造に起因してどうしてもガタつきが生じ易くなってしまうものであり、もし、ピックアップ駆動機構（リードスクリューを保持した部材）にガタつきが生じてしまうと、ピックアップユニットの動作に悪影響を与えてしまう虞があるものであった。
【０００６】
本考案は、上述した点に鑑み、リードスクリューとラック部とを用いたピックアップユニット駆動機構を備えるディスク装置であって、部品の小型化と動作の安定性の向上を図りつつ、組立作業の作業性の向上も図られたディスク装置を提供することを目的とする。
【課題を解決するための手段】
【０００７】
請求項１のディスク装置は、ディスク媒体からの信号の読み込み若しくは書き込みを行うピックアップユニットと、当該ピックアップユニットを前記ディスク媒体の半径方向に移動させる為のピックアップユニット駆動機構を備えるディスク装置であって、前記ピックアップユニット駆動機構が、リードスクリューと、当該リードスクリューを回転駆動させる駆動モータと、前記リードスクリューに形成される溝部と係合する歯を備えるラック部と、当該ラック部を前記ピックアップユニットと接合する接合部と、を備え、前記接合部が、前記ピックアップユニットに接合される接合部材と、当該接合部材と前記ラック部との間にこれらと一体的に形成される接続部であって前記ラック部を前記リードスクリュー方向へと付勢させる接続バネ部と、を備え、さらに、前記ラック部と前記ピックアップユニットの間に前記ラック部を前記リードスクリュー方向へと付勢させるための弾性部材を設けたことを特徴とする。
【０００８】
上記構成によれば、接続バネ部による付勢力と弾性部材による付勢力によって、ラック部がリードスクリュー方向に付勢される。即ち、リードスクリューに形成される溝部とラック部に形成される歯との係合をより確実なものとすることが可能となる。
【０００９】
請求項２のディスク装置は、請求項１記載のディスク装置であって、前記接合部が、前記ピックアップユニットの筐体となるホルダー部材と前記ラック部との間にこれらと一体的に形成される接続部であって前記ラック部を前記リードスクリュー方向へと付勢させる接続バネ部によって構成されたことを特徴とする。
【００１０】
上記構成によれば、ピックアップユニットの筐体となるホルダー部材と、ラック部と、これらを接合する接続バネ部と、が一体的に形成される。
【００１１】
請求項３のディスク装置は、請求項１又は請求項２に記載のディスク装置であって、前記接続バネ部は屈曲部を有し、且つ、前記ラック部の前記リードスクリューから前記ピックアップユニットへ向かう方向の射影によって形成される範囲内に前記接続バネ部が収まるように形成されたことを特徴とする。
【００１２】
上記構成によれば、ラック部によって形成される、リードスクリューからピックアップユニットへ向かう方向の射影の範囲内に、屈曲部を有する接続バネ部が収められる。
【００１３】
請求項４のディスク装置は、請求項３記載のディスク装置であって、前記接続バネ部を、前記ラック部の中心を基準として対称となる位置に前記リードスクリューの軸方向に沿って並んで２本形成し、当該２本の接続バネ部の間となる部分に前記弾性部材たるコイルバネを配置し、当該コイルバネを係止するためのコイルバネ係止突起を、前記ラック部と前記接合部材若しくは前記ホルダー部材とにそれぞれ形成し、前記各接続バネ部に形成される前記屈曲部を、前記コイルバネが配置される側とは反対側に膨出するように形成したことを特徴とする。
【００１４】
上記構成によれば、リードスクリューの軸方向に沿って、２本の接続バネ部とその間にコイルバネが配置される。また、２本の接続バネ部に形成される屈曲部は、外側（コイルバネが配置される側と反対側）に膨出して形成される。
【００１５】
請求項５のディスク装置は、請求項１乃至請求項４の何れか１つに記載のディスク装置であって、前記接続バネ部は、前記ラック部又は前記接合部材若しくは前記ホルダー部材と接合する部分付近において、前記ラック部を前記リードスクリューへと付勢する方向と略平行となる直線部を備えることを特徴とする。
【００１６】
上記構成によれば、接続バネ部は、ラック部又は接合部材若しくはホルダー部材との接合部分において、直線部を備え、当該直線部は、ラック部をリードスクリューへと付勢する方向と略平行となるように形成される。
【００１７】
請求項６のディスク装置は、請求項５記載のディスク装置であって、前記直線部は、前記屈曲部に比してその断面積が大きく形成されていることを特徴とする。
【００１８】
上記構成によれば、接続バネ部の、直線部の断面積が、屈曲部の断面積より大きく形成される。従って、直線部の曲げ剛性が大きくなる。
【００１９】
請求項７のディスク装置は、請求項１乃至請求項６の何れか１つに記載のディスク装置であって、前記ディスク装置は、前記ピックアップユニット及び前記ピックアップユニット駆動機構が組み付けられるトラバースユニットを備え、前記リードスクリューを保持するリードスクリュー保持部材の、前記トラバースユニットのシャーシへの組付けを、前記リードスクリュー保持部材若しくは前記シャーシに形成したフックであって先端の爪が前記ラック部を前記リードスクリューへと付勢する方向と略平行となる方向を向いているフック部材と、これと係合させるために前記シャーシ若しくは前記リードスクリュー保持部材に形成した穴部と、によって行うことを特徴とする。
【００２０】
上記構成によれば、リードスクリューは、トラバースユニットとは別体で形成されるリードスクリュー保持部材によって保持され、当該リードスクリュー保持部材のトラバースユニットへの組付けが、双方に形成されるフック部材（先端の爪が、ラック部をリードスクリューへと付勢する方向と略平行となる方向を向いているフック）と穴部とによって行われる。
【考案の効果】
【００２１】
本考案の請求項１の、ディスク媒体からの信号の読み込み若しくは書き込みを行うピックアップユニットと、当該ピックアップユニットを前記ディスク媒体の半径方向に移動させる為のピックアップユニット駆動機構を備えるディスク装置であって、前記ピックアップユニット駆動機構が、リードスクリューと、当該リードスクリューを回転駆動させる駆動モータと、前記リードスクリューに形成される溝部と係合する歯を備えるラック部と、当該ラック部を前記ピックアップユニットと接合する接合部と、を備え、前記接合部が、前記ピックアップユニットに接合される接合部材と、当該接合部材と前記ラック部との間にこれらと一体的に形成される接続部であって前記ラック部を前記リードスクリュー方向へと付勢させる接続バネ部と、を備え、さらに、前記ラック部と前記ピックアップユニットの間に前記ラック部を前記リードスクリュー方向へと付勢させるための弾性部材を設けたことを特徴とするディスク装置によれば、接続バネ部による付勢力と弾性部材による付勢力によって、ラック部がリードスクリュー方向に付勢されるため、リードスクリューに形成される溝部とラック部に形成される歯との係合をより確実なものとすることが可能となる。従って、ラック部の歯がリードスクリューの溝部を外れてしまうことを抑止することができ、ピックアップユニットの動作の安定化を図ることができる。
【００２２】
本考案の請求項２の、前記接合部が、前記ピックアップユニットの筐体となるホルダー部材と前記ラック部との間にこれらと一体的に形成される接続部であって前記ラック部を前記リードスクリュー方向へと付勢させる接続バネ部によって構成されたことを特徴とする請求項１記載のディスク装置によれば、ピックアップユニットの筐体となるホルダー部材と、ラック部と、これらを接合する接続バネ部と、が一体的に形成されるため、部品点数の削減及び組立作業工数の削減（即ち製造コストの削減）を図ることができる。
【００２３】
本考案の請求項３の、前記接続バネ部は屈曲部を有し、且つ、前記ラック部の前記リードスクリューから前記ピックアップユニットへ向かう方向の射影によって形成される範囲内に前記接続バネ部が収まるように形成されたことを特徴とする請求項１又は請求項２に記載のディスク装置によれば、ラック部によって形成される、リードスクリューからピックアップユニットへ向かう方向の射影の範囲内に、屈曲部を有する接続バネ部が収められるため、ラック部部分の部品の大型化を抑止することができ、ひいてはディスク装置の小型化を図ることができる。
【００２４】
本考案の請求項４の、前記接続バネ部を、前記ラック部の中心を基準として対称となる位置に前記リードスクリューの軸方向に沿って並んで２本形成し、当該２本の接続バネ部の間となる部分に前記弾性部材たるコイルバネを配置し、当該コイルバネを係止するためのコイルバネ係止突起を、前記ラック部と前記接合部材若しくは前記ホルダー部材とにそれぞれ形成し、前記各接続バネ部に形成される前記屈曲部を、前記コイルバネが配置される側とは反対側に膨出するように形成したことを特徴とする請求項３記載のディスク装置によれば、リードスクリューの軸方向に沿って、２本の接続バネ部とその間にコイルバネが配置されるため、リードスクリューに形成される溝部とラック部に形成される歯との係合をより確実なものとすることが可能となる。また、２本の接続バネ部に形成される屈曲部は、外側（コイルバネが配置される側と反対側）に膨出して形成されるため、コイルバネと屈曲部とが接触して動作に悪影響を与えることを抑止することができる。
【００２５】
本考案の請求項５の、前記接続バネ部は、前記ラック部又は前記接合部材若しくは前記ホルダー部材と接合する部分付近において、前記ラック部を前記リードスクリューへと付勢する方向と略平行となる直線部を備えることを特徴とする請求項１乃至請求項４の何れか１つに記載のディスク装置によれば、接続バネ部は、ラック部又は接合部材若しくはホルダー部材との接合部分において、直線部を備え、当該直線部は、ラック部をリードスクリューへと付勢する方向と略平行となるように形成されるため、接続バネ部において（主に屈曲部において）発生する付勢力が直線部を介して効率よくラック部へと伝わる。
【００２６】
本考案の請求項６の、前記直線部は、前記屈曲部に比してその断面積が大きく形成されていることを特徴とする請求項５記載のディスク装置によれば、接続バネ部の、直線部の断面積が、屈曲部の断面積より大きく形成されるため、直線部の曲げ剛性が大きくなる。従って、直線部における曲がりを低減することができ、ラック部とピックアップユニットの位置関係において、意図しない変位が発生することを抑止できるため、ピックアップユニットの動作の安定化を図ることが可能となる。
【００２７】
本考案の請求項７の、前記ディスク装置は、前記ピックアップユニット及び前記ピックアップユニット駆動機構が組み付けられるトラバースユニットを備え、前記リードスクリューを保持するリードスクリュー保持部材の、前記トラバースユニットのシャーシへの組付けを、前記リードスクリュー保持部材若しくは前記シャーシに形成したフックであって先端の爪が前記ラック部を前記リードスクリューへと付勢する方向と略平行となる方向を向いているフック部材と、これと係合させるために前記シャーシ若しくは前記リードスクリュー保持部材に形成した穴部と、によって行うことを特徴とする請求項１乃至請求項６の何れか１つに記載のディスク装置によれば、リードスクリューがトラバースユニットとは別体で形成されるリードスクリュー保持部材によって保持され、当該リードスクリュー保持部材のトラバースユニットへの組付けが、双方に形成されるフック部材と穴部とによって行われるため、組立工程の作業性を向上することができ、且つ、フック部材の先端の爪が、ラック部をリードスクリューへと付勢する方向と略平行となる方向を向くように形成されるため、当該付勢力によって、フック部材と穴部の係合部分におけるガタつきの発生を抑止させることができる。
【考案を実施するための最良の形態】
【００２８】
以下、本考案の具体的実施例について、図面を参照しながら説明する。なお、以下の実施態様は、本考案を具体化する際の一形態であって、本考案をその範囲内に限定するためのものではない。
【００２９】
図１は本考案に係るディスク装置１の、天板プレート１３を外した状態の概略を示す分解斜視図である。
【００３０】
図１に示されるように、ディスク装置１には、全体が概ね樹脂製のフレーム１１と、フレーム１１に対して摺動可能に設けられたディスクトレイ１２と、ディスク装置１の上面部を覆う天板プレート１３等が備えられる。また、ディスク装置１には、フレーム１１内に取り付けられるピックアップユニット１７、当該ピックアップユニット１７をディスク媒体の半径方向に移動させるピックアップユニット駆動機構１８、ピックアップユニット１７やピックアップユニット駆動機構１８が組みつけられるトラバースユニット１９、ターンテーブル１４、ターンテーブル１４を回転させるスピンドルモータ（図示せず）、ターンテーブル１４との間でディスク媒体を挟持するためのクランパー１５等が備えられる。
【００３１】
図２はピックアップユニット駆動機構１８部分を示した図である。同図に示されるように、ピックアップユニット駆動機構１８は、ピックアップユニット１７を往復移動可能に支持するガイドシャフト１８４、リードスクリュー１８１、当該リードスクリュー１８１を回転駆動させる駆動モータ１８３、ラック部材１８２、コイルバネ１８５などによって構成され、ピックアップユニット１７の移動を、リードスクリュー１８１と当該リードスクリュー１８１に形成される溝部１８１１と係合する歯１８２４を備えるラック部材１８２により、駆動モータ１８３によって駆動されるリードスクリュー１８１の回転運動を、平行運動に変換することによって行うものである。
【００３２】
図３はラック部材１８２を示した斜視図であり、図４は同ラック部材１８２を示した上面図（図４（ａ））、正面図（図４（ｂ））、側面図（図４（ｃ））である。ラック部材１８２は、主に、歯１８２４が形成されるラック部１８２１と、ピックアップユニット１７と接合される接合部材１８２２と、接続バネ部１８２３とによって構成される。ラック部材１８２（ラック部１８２１・接合部材１８２２・接続バネ部１８２３）は、樹脂によって一体成形されるものであり、ピックアップユニット１７にネジ止めによって接合されるものである。
【００３３】
図４に示されるように、接続バネ部１８２３は、その両端部分（ラック部１８２１又は接合部材１８２２と接合される部分付近）において、直線部１８２３２を備え、中間部分において屈曲部１８２３１を備える。接続バネ部１８２３は、ラック部１８２１の中心を基準としてほぼ対称となる位置にリードスクリュー１８１の軸方向に沿って並んで２本形成される。当該２本の接続バネ部１８２３の間となる部分に、コイルバネ１８５を係止するためのコイルバネ係止突起１８６を、ラック部１８２１と接合部材１８２２とにそれぞれ形成することにより、コイルバネ１８５を、２本の接続バネ部１８２３の間となる部分に配置させる（図２参照）。接続バネ部１８２３の屈曲部１８２３１は、外側（コイルバネ１８５が配置される側と反対側）に膨出して形成されるが、図４（ｂ）からも明らかなように、ラック部１８２１の正面射影によって形成される範囲内に接続バネ部１８２３の全体が収まるように形成される。また、接続バネ部１８２３の直線部１８２３２は、ラック部１８２１をリードスクリュー１８１へと付勢する方向（図２におけるＦ方向）と略平行となるように形成される。なお、ラック部材１８２の装置への組み付けが行われてない状態（ラック部材１８２に対する何の規制力も働いていない状態）におけるラック部１８２１と接合部材１８２２との間隔（図４中のＬ０）は、装置への組み付けが行われた状態におけるラック部１８２１と接合部材１８２２との間隔（図２（ｂ）中のＬ１）よりも広く、ラック部材１８２の装置への組み付けが行われることにより、屈曲部１８２３１が屈曲し、ラック部１８２１をリードスクリュー１８１へと付勢する力が生じるものである。
【００３４】
図５は、トラバースユニット１９のシャーシ１９１と、リードスクリュー保持部材１８７との接合方法を説明するための分解斜視図である。同図及び図２に示されるように、リードスクリュー１８１は、トラバースユニット１９のシャーシ１９１とは別体で形成されるリードスクリュー保持部材１８７によって保持される（本実施例では駆動モータ１８３もリードスクリュー保持部材１８７によって保持される）。当該リードスクリュー保持部材１８７のシャーシ１９１への組み付けは、双方に形成されるフック部材１９２（先端の爪が、ラック部１８２１をリードスクリュー１８１へと付勢する方向（図２におけるＦ方向）と略平行となる方向を向いているフック）と穴部１８８とを係合させることによって行われる。
【００３５】
以上の構成を有する本実施例のディスク装置１によれば、接続バネ部１８２３による付勢力とコイルバネ１８５による付勢力によって、ラック部１８２１がリードスクリュー１８１へと付勢されるため、リードスクリュー１８１に形成される溝部１８１１とラック部１８２１に形成される歯１８２４との係合をより確実なものとすることが可能となる。さらに、接続バネ部１８２３の直線部１８２３２は、ラック部１８２１をリードスクリュー１８１へと付勢する方向（リードスクリュー１８１の軸方向とほぼ直交する方向）と略平行となるように形成されるため、接続バネ部１８２３において（主に屈曲部１８２３１において）発生する付勢力が直線部を介して効率よくラック部へと伝わる。即ち、例えば接続バネ部を図１３に示したような形状とすると、ラック部１８２１をリードスクリュー１８１へと付勢させる方向（図中Ｆ方向）と、接続バネ部１３１からの付勢力（図中のｆ１、ｆ２）がラック部１８２１に伝わる方向と、が異なる為、力の伝達効率に劣る虞があり、且つ、それぞれの接続バネ部１３１からの付勢力ｆ１とｆ２が等しい場合には問題ないが、製造誤差などに起因してｆ１とｆ２の均衡が崩れてしまった場合には、その合力によって、ラック部１８２１を、リードスクリュー１８１の軸方向に変位させようとする力が生じてしまうこととなり、ピックアップユニットの動作の安定性を阻害する虞があるが、本実施例によれば、このような問題の発生を抑止することができるのである。
【００３６】
また、リードスクリュー１８１の軸方向に沿って、２本の接続バネ部１８２３とその間にコイルバネ１８５が配置されるため、リードスクリュー１８１に形成される溝部１８１１とラック部１８２１に形成される歯１８２４との係合をより確実なものとすることが可能となる。即ち、ラック部１８２１の中心部分にコイルバネ１８５が配置され、その両脇に接続バネ部１８２３が形成される為、例えば、図６に示されるように製造誤差などに起因してリードスクリュー１８１の軸方向とピックアップユニット１７の移動方向とがズレてしまった（同図ではやや誇張している）ような場合であっても、両サイドに形成された接続バネ部１８２３の付勢力によって、ラック部１８２１の歯１８２４がリードスクリュー１８１の溝部１８１１から外れてしまうことを抑止することができ、ピックアップユニット１７の動作の安定化を図ることができるのである。
【００３７】
また、ラック部１８２１の正面射影によって形成される範囲内に接続バネ部１８２３の全体が収まるように形成されるため、ラック部材１８２の部品の大型化を抑止することができ、ひいてはディスク装置の小型化を図ることができる。即ち、例えば図１４に示したように、接続バネ部１４１がラック部１８２１の正面射影から突出した形状である場合には、ラック部材の移動に伴って接続バネ部１４１が他の部材との接触してしまうことを防止するためのスペース（図中のｘ）を必要としてしまい、装置の小型化を阻害する虞があるが、本実施例によれば、このような問題の発生を抑止することができるのである。
【００３８】
また、リードスクリュー１８１がトラバースユニット１９とは別体で形成されるリードスクリュー保持部材１８７によって保持され、当該リードスクリュー保持部材１８７のトラバースユニット１９への組付けが、双方に形成されるフック部材１９２と穴部１８８とによって行われる（本実施例では、リードスクリュー保持部材１８７に穴部１８８を、シャーシ１９１にフック部材１９２を形成するのもとしたが、逆であっても構わない）ため、組立工程の作業性を向上することができ、且つ、フック部材１９２の先端の爪が、ラック部１８２１をリードスクリュー１８１へと付勢する方向と略平行となる方向を向くように形成されるため、当該付勢力によって、フック部材と穴部の係合部分におけるガタつきの発生を抑止させることができる。即ち、図７に概念説明図を示したように、穴部１８８の爪のある方向の寸法は、爪部分を通す為にどうしてもある程度大きくする必要があり、その結果、同図（ｂ）に示されるように、爪のある方向にガタつきを生じてしまう虞があるが、本実施例によれば、フック部材１９２の先端の爪が、ラック部１８２１をリードスクリュー１８１へと付勢させる方向と略平行となる方向を向くように形成されるため、当該付勢力が同図（ｂ）の矢印方向に働くこととなり、フック部分におけるガタつきの発生を抑止させることが可能となるのである。
【００３９】
図８には、接続バネ部１８２３の直線部１８２３２の断面積を、屈曲部１８２３１の断面積より大きく形成したラック部材を示した。このように直線部の断面積を大きくすることにより、直線部の曲げ剛性が大きくなるため、直線部における曲がりを低減することができ、ラック部とピックアップユニットの位置関係において、意図しない変位が発生することを抑止でき、ピックアップユニットの動作の安定化を図ることが可能となる。なお、直線部の形状を、図８のように単に太くするのではなく、図９や図１０に示したように、リブを形成することなどにより直線部の曲げ剛性を高めるようにしてもよい。
【００４０】
図１１には、ピックアップユニット１１０の筐体を構成するホルダー部材１１１と、接続バネ部１８２３と、ラック部１８２１と、が樹脂によって一体成形されたものを示した。このような構成とすることにより、部品点数の削減及び組立作業工数の削減（即ち製造コストの削減）を図ることができる。
【００４１】
なお、実施例中では、接続バネ部が２本形成されるものを示したが、本考案をこれに限るというものではなく、さらに多数若しくは１本であっても構わない。また、接続バネ部に形成される屈曲部が１つのものを例として説明したが、屈曲部が複数形成されるものであっても構わない。加えて、屈曲部の膨出方向も本実施例のものに限らず、他の方向に膨出しているものであっても構わないが、本実施例のように、外側（コイルバネが配置される側と反対側）に膨出させて形成すると、コイルバネと屈曲部とが接触して動作に悪影響を与えるといったことを抑止することができ、好適である。
【００４２】
実施例中では、接続バネ部が板状のもの（断面形状が縦横比の大きな長方形のもの）を例として示したが、本考案をこれに限るというものではなく、例えば図１２に示したように、断面形状を正方形に近い形状としたものや、断面形状を他の多角形や円形、楕円形等としたものであっても構わない。
【００４３】
また、実施例中では、いわゆるトレイタイプのディスク装置を例として説明したが、本考案をこれに限るというものではなく、他のタイプ（例えばスロットインタイプ）のディスク装置に対しても適用することができる。
【図面の簡単な説明】
【００４４】
【図１】ディスク装置の天板プレートを外した状態の概略を示す分解斜視図
【図２】ピックアップユニット駆動機構部分を示す上面図
【図３】ラック部材を示す斜視図
【図４】ラック部材を示す図であり、（ａ）：上面図、（ｂ）：正面図、（ｃ）：側面図
【図５】トラバースユニットとリードスクリュー保持部材の分解斜視図
【図６】リードスクリューとガイドシャフトの軸方向がズレた状態のピックアップユニット駆動機構部分を示す上面図
【図７】フックによる接合部分を説明するための図
【図８】別のラック部材を示す図
【図９】別のラック部材を示す図
【図１０】別のラック部材を示す図
【図１１】ラック部材が一体成形されたピックアップユニットを示す斜視図
【図１２】別のラック部材を示す図
【図１３】他のラック部材を示す上面図
【図１４】他のピックアップユニット駆動機構部分を示す上面図
【符号の説明】
【００４５】
１      ディスク装置
１７    ピックアップユニット
１８    ピックアップユニット駆動機構
１９    トラバースユニット
１１１  ホルダー部材
１８１  リードスクリュー
１８２  ラック部材
１８３  駆動モータ
１８５  コイルバネ（弾性部材）
１８６  コイルバネ係止突起
１８７  リードスクリュー保持部材
１８８  穴部
１９１  シャーシ
１９２  フック部材
１８１１  溝部
１８２１  ラック部
１８２２  接合部材（接合部）
１８２３  接続バネ部（接合部）
１８２４  歯
１８２３１  屈曲部
１８２３２  直線部
【図１】
0003120600.tif 000003
【図２】
0003120600.tif 000004
【図３】
0003120600.tif 000005
【図４】
0003120600.tif 000006
【図５】
0003120600.tif 000007
【図６】
0003120600.tif 000008
【図７】
0003120600.tif 000009
【図８】
0003120600.tif 000010
【図９】
0003120600.tif 000011
【図１０】
0003120600.tif 000012
【図１１】
0003120600.tif 000013
【図１２】
0003120600.tif 000014
【図１３】
0003120600.tif 000015
【図１４】
0003120600.tif 000016